(57)【要約】【課題】加湿能力の低下を抑制しつつ、加湿運転停止時に加湿フィルタが貯水容器内の水を吸水するのを防止する。【解決手段】送風機３と、水を貯留する貯水容器３１と、貯水容器３１の上方で且つ送風機３によって発生する空気流の流路に配置され、加湿運転時に回転駆動されると共に貯水容器３１から供給された水を気化させる加湿フィルタ２１とを備える加湿機であって、加湿フィルタ２１の外周部には、防水部２１ｂが設けられている。防水部２１ｂによって、加湿運転停止時において貯水容器３１内の水面が所定高さより上昇したときに、加湿フィルタ２１への吸水を防止できる。【選択図】図６
2012247109.tif 000002
【特許請求の範囲】
【請求項１】
送風機と、
水を貯留する貯水容器と、
前記貯水容器の上方で且つ前記送風機によって発生する空気流の流路に配置され、加湿運転時に回転駆動されると共に前記貯水容器から供給された水を気化させる加湿フィルタと、
加湿運転停止時において前記貯水容器内の水面が所定高さより上昇したときに、前記加湿フィルタへの吸水を防止する吸水防止手段とを備えることを特徴とする加湿機。
【請求項２】
前記吸水防止手段が、前記加湿フィルタの外周部に設けられていることを特徴とする請求項１に記載の加湿機。
【請求項３】
前記吸水防止手段が、前記貯水容器内の水を吸水しないように構成された防水部であることを特徴とする請求項２に記載の加湿機。
【請求項４】
前記加湿フィルタの前記防水部を保持する保持部を備えることを特徴とする請求項３に記載の加湿機。
【請求項５】
加湿運転停止時で且つ前記送風機が停止しているときに、前記貯水容器内の水面が、前記加湿フィルタの下端より下方にあることを特徴とする請求項１〜４のいずれかに記載の加湿機。
【請求項６】
前記貯水容器内の水を汲み上げて前記加湿フィルタに掛けるための水汲み部を備えることを特徴とする請求項５に記載の加湿機。
【請求項７】
前記加湿フィルタが円形状であることを特徴とする請求項１〜６のいずれかに記載の加湿機。
【請求項８】
前記加湿フィルタが、合成樹脂製であって、
前記防水部が、熱溶着処理によって形成されていることを特徴とする請求項３または４に記載の加湿機。
【請求項９】
前記防水部が、フィルタ本体に撥水剤を塗布することで形成されていることを特徴とする請求項３または４に記載の加湿機。
【請求項１０】
前記防水部が、フィルタ本体にシール部材を溶着することで形成されていることを特徴とする請求項３または４に記載の加湿機。
【請求項１１】
前記防水部が、フィルタ本体に防水テープを貼り付けることで形成されていることを特徴とする請求項３または４に記載の加湿機。
【発明の詳細な説明】
【技術分野】
【０００１】
本発明は、貯水容器内の上方に配置された加湿フィルタを備える加湿機に関する。
【背景技術】
【０００２】
従来から加湿機として、加湿フィルタと、加湿フィルタの下方に配置されて加湿フィルタに供給される水が貯留される貯水容器と、加湿フィルタを通過する空気流を発生させるファンとを備えるものがある（例えば特許文献１参照）。この加湿機では、加湿フィルタを回転させつつ、貯水容器内から汲み上げた水を加湿フィルタに掛けて、加湿フィルタ全体に水を浸み込ませている。加湿フィルタに吸水された水が気化して、加湿フィルタを通過する空気流が加湿される。
【０００３】
送風機の停止時には加湿フィルタが貯水容器内の水に浸からないようになっているが、送風機による風量が大きい場合には、ケーシング内が負圧となって、貯水容器内に水が引き込まれるため、貯水容器内の水面高さが、送風機の停止時の貯水容器内の水面高さよりも上昇する場合がある。貯水容器内の水面高さが加湿フィルタの下端よりも上昇すると、加湿フィルタが貯水容器内の水を吸水する。
【先行技術文献】
【特許文献】
【０００４】
【特許文献１】特開２０１１−６４４４６号公報
【発明の概要】
【発明が解決しようとする課題】
【０００５】
例えば加湿運転と空気清浄運転の両方を行うような加湿機では、加湿運転停止時に送風機を駆動する場合がある。この場合、送風機による風量が大きいと、上述したように貯水容器内の水面高さが加湿フィルタの下端よりも上昇して、加湿運転を行っていないにも関わらず、加湿フィルタが貯水容器内の水を吸水してタンク内の水が減るという問題が生じる。
【０００６】
送風機の駆動時に加湿フィルタが貯水容器内の水に浸からないようにするために、加湿フィルタの外径を小さくした場合、加湿フィルタの気化できる面積が小さくなるため、加湿能力が低下してしまう。また、貯水容器内の水面高さを低くした場合、加湿運転時に貯水容器から加湿フィルタに供給される水量が減って、加湿能力が低下してしまう。
【０００７】
そこで、本発明は、加湿能力の低下を抑制しつつ、加湿運転停止時に加湿フィルタが貯水容器内の水を吸水するのを防止できる加湿機を提供することを目的とする。
【課題を解決するための手段】
【０００８】
上記課題を解決するために、第１の発明に係る加湿機は、送風機と、水を貯留する貯水容器と、前記貯水容器の上方で且つ前記送風機によって発生する空気流の流路に配置され、加湿運転時に回転駆動されると共に前記貯水容器から供給された水を気化させる加湿フィルタと、加湿運転停止時において前記貯水容器内の水面が所定高さより上昇したときに、前記加湿フィルタへの吸水を防止する吸水防止手段とを備えることを特徴とする。
【０００９】
この加湿機では、加湿運転停止時に貯水容器内の水面が所定高さより上昇したときに、吸水防止手段によって加湿フィルタが貯水容器内の水を吸水するのを防止する。そのため、加湿フィルタの外径を小さくすることで加湿フィルタへの吸水を防止する場合などに比べて、加湿能力の低下を抑制しつつ、加湿運転停止時の加湿フィルタへの吸水を防止できる。
【００１０】
第２の発明に係る加湿機は、第１の発明において、前記吸水防止手段が、前記加湿フィルタの外周部に設けられていることを特徴とする。
【００１１】
この加湿機では、加湿フィルタの下方に配置された貯水容器内の水が、加湿フィルタの下端部から吸水されるのを防止できる。
【００１２】
第３の発明に係る加湿機は、第２の発明において、前記吸水防止手段が、前記貯水容器内の水を吸水しないように構成された防水部であることを特徴とする。
【００１３】
この加湿機では、吸水防止手段を容易に形成できる。
【００１４】
第４の発明に係る加湿機は、第３の発明において、前記加湿フィルタの前記防水部を保持する保持部を備えることを特徴とする。
【００１５】
この加湿機では、加湿フィルタにおいて保持部に保持される部分は、空気流が通過しないため、加湿能力はほとんどない。この部分に防水部を設けることにより、加湿能力の低下を抑制しつつ加湿フィルタの吸水を防水できる。
【００１６】
第５の発明に係る加湿機は、第１〜第４の発明において、加湿運転停止時で且つ前記送風機が停止しているときに、前記貯水容器内の水面が、前記加湿フィルタの下端より下方にあることを特徴とする。
【００１７】
この加湿機では、加湿運転停止時で且つ送風機が停止しているときに、貯水容器内の水が加湿フィルタに吸水されるのを確実に防止できる。なお、加湿運転停止時で且つ送風機を駆動するときには、貯水容器内の水面高さが送風機の停止時より上昇しても、吸水防水手段によって吸水を防止できる。
【００１８】
第６の発明に係る加湿機は、第５の発明において、前記貯水容器内の水を汲み上げて前記加湿フィルタに掛けるための水汲み部を備えることを特徴とする。
【００１９】
この加湿機では、水汲み部によって加湿フィルタに水が供給されるため、加湿運転時に加湿フィルタの下端部を貯水容器内の水に接触させなくてよい。
【００２０】
第７の発明に係る加湿機は、第１〜第６のいずれかの発明において、前記加湿フィルタが円形状であることを特徴とする。
【００２１】
この加湿機では、回転駆動される加湿フィルタが円形状であるため、加湿フィルタの設置スペースを小さくできる。
【００２２】
第８の発明に係る加湿機は、第３または第４の発明において、前記加湿フィルタが、合成樹脂製であって、前記防水部が、熱溶着処理によって形成されていることを特徴とする。
【００２３】
この加湿機では、簡易に防水部を形成できる。
【００２４】
第９の発明に係る加湿機は、第３または第４の発明において、前記防水部が、フィルタ本体に撥水剤を塗布することで形成されていることを特徴とする。
【００２５】
この加湿機では、簡易に防水部を形成できる。
【００２６】
第１０の発明に係る加湿機は、第３または第４の発明において、前記防水部が、フィルタ本体にシール部材を溶着することで形成されていることを特徴とする。
【００２７】
この加湿機では、簡易に防水部を形成できる。
【００２８】
第１１の発明に係る加湿機は、第３または第４の発明において、前記防水部が、フィルタ本体に防水テープを貼り付けることで形成されていることを特徴とする。
【００２９】
この加湿機では、簡易に防水部を形成できる。
【発明の効果】
【００３０】
以上の説明に述べたように、本発明によれば、以下の効果が得られる。
【００３１】
第１の発明では、加湿運転停止時に貯水容器内の水面が所定高さより上昇したときに、吸水防止手段によって加湿フィルタが貯水容器内の水を吸水するのを防止する。そのため、加湿フィルタの外径を小さくすることで加湿フィルタへの吸水を防止する場合などに比べて、加湿能力の低下を抑制しつつ、加湿運転停止時の加湿フィルタへの吸水を防止できる。
【００３２】
第２の発明では、加湿フィルタの下方に配置された貯水容器内の水が、加湿フィルタの下端部から吸水されるのを防止できる。
【００３３】
第３の発明では、吸水防止手段を容易に形成できる。
【００３４】
第４の発明では、加湿フィルタにおいて保持部に保持される部分は、空気流が通過しないため、加湿能力はほとんどない。この部分に防水部を設けることにより、加湿能力の低下を抑制しつつ加湿フィルタの吸水を防水できる。
【００３５】
第５の発明では、加湿運転停止時で且つ送風機が停止しているときに、貯水容器内の水が加湿フィルタに吸水されるのを確実に防止できる。
【００３６】
第６の発明では、水汲み部によって加湿フィルタに水が供給されるため、加湿運転時に加湿フィルタの下端部を貯水容器内の水に接触させなくてよい。
【００３７】
第７の発明では、回転駆動される加湿フィルタが円形状であるため、加湿フィルタの設置スペースを小さくできる。
【００３８】
第８〜第１１の発明では、簡易に防水部を形成できる。
【図面の簡単な説明】
【００３９】
【図１】本発明の実施形態に係る加湿機の斜視図である。
【図２】図１の加湿機からケーシングの前面部を取り外した状態の斜視図である。
【図３】図２の加湿機から空気清浄フィルタユニットを取り外した状態の斜視図である。
【図４】図３の加湿機から加湿ロータとトレーと給水タンクを取り外した状態の斜視図である。
【図５】図１の加湿機から給水タンクを取り外した状態の斜視図である。
【図６】加湿ロータとトレーの断面図である。
【図７】トレーの斜視図である。
【図８】加湿ロータの斜視図である。
【図９】（ａ）は加湿フィルタの平面図であって、（ｂ）は加湿フィルタの断面図である。
【発明を実施するための形態】
【００４０】
以下、本発明の実施形態の加湿機１について説明する。
図１〜図４に示すように、加湿機１は、送風機３（図４参照）と、空気清浄フィルタユニット４（図２参照）と、加湿ロータ２０（図３参照）と、トレー３０（図３参照）と、給水タンク５と、これらを収容するケーシング２とを備えている。なお、以下の説明における上下、左右および前後方向は、図１中の上下、左右および前後方向である。
【００４１】
本実施形態の加湿機１は、加湿運転と空気清浄運転が可能である。加湿運転は、加湿ロータ２０と送風機３の両方を回転させて、加湿と空気清浄を行う運転であって、空気清浄運転は、加湿ロータ２０を回転させずに送風機３だけ回転させて、空気清浄のみを行う運転である。また、送風機３の風量は調整可能となっている。
【００４２】
図１に示すように、ケーシング２の左右側面には吸込口２ａが形成されており、ケーシング２の天面の後側部分には、開閉式の蓋が設けられた吹出口２ｂが形成されている。ケーシング２の内部には、送風機３によって発生する空気流を吸込口２ａから吹出口２ｂに導くための流路が形成されている。この流路に上流側から順に、空気清浄フィルタユニット４、加湿ロータ２０、送風機３が配置されている。
【００４３】
図２に示すように空気清浄フィルタユニット４は、ケーシング２内の前側に配置されている。空気清浄フィルタユニット４は、これを通過する空気中の塵埃や臭気成分を除去する。
【００４４】
図３に示すように、トレー３０はケーシング２内の下側部分に配置されている。トレー３０の右側面と後面の一部は、ケーシング２の一部を構成している。図７に示すように、トレー３０は、貯水容器３１と、タンク受け容器３２と、２本の支持柱３３とを有する。図３に示すように、支持柱３３は、加湿ロータ２０を支持するためのものである。
【００４５】
図６に示すように、貯水容器３１とタンク受け容器３２は、仕切り壁３４によって仕切られている。仕切り壁３４の下部には、タンク受け容器３２内の水を貯水容器３１に供給するための供給口３４ａが形成されている。
【００４６】
図３に示すように、タンク受け容器３２には、給水タンク５が配置されており、この給水タンク５から供給された水が貯留される。給水タンク５内に水がある限り、タンク受け容器３２内の水面は所定の満水レベル（図６中一点鎖線で表示）に保たれるようになっている。
【００４７】
貯水容器３１には、タンク受け容器３２から供給口３４ａを介して供給された水が貯留される。この貯水容器３１内の水が、後述する水汲み部２６によって汲み上げられて加湿ロータ２０の加湿フィルタ２１に供給される。送風機３の停止時には、貯水容器３１内の水面（図６中一点鎖線で表示）は、タンク受け容器３２の満水レベルと同じ高さであって、加湿フィルタ２１の下端の位置Ａよりも下方にある。
【００４８】
また、図５に示すように、タンク受け容器３２の上方の空間（給水タンク５が収容される空間）と、貯水容器３１の上方の空間（空気流の流路の一部）とは、壁で仕切られており、空気が行き来しないようになっている。そのため、送風機３による風量が大きい場合には、貯水容器３１の上方の空間（空気流の流路）が負圧となって、タンク受け容器３２の上方の空気圧力（大気圧）と差が生じて、この差圧によってタンク受け容器３２から貯水容器３１内に水が引き込まれて、貯水容器３１内の水面高さが上昇する。送風機３の風量が最大の場合には、貯水容器３１内の水面（図６中二点鎖線で表示）は、加湿フィルタ２１の下端の位置Ａよりも上方で、且つ、加湿フィルタ２１の外周部に設けられた防水部２１ｂ（図６中ドットのハッチングで表示）よりも内側の部分の下端の位置Ｂよりも下方となる。
【００４９】
図３に示すように、加湿ロータ２０は、貯水容器３１の上方に配置されて、支持柱３３に回転自在に支持される。図８に示すように、加湿ロータ２０は、加湿フィルタ２１と、加湿フィルタ２１を保持する枠部材２２と、加湿フィルタ２１と枠部材２２を貫通する回転軸２５とで構成されている。回転軸２５の両端は、２本の支持柱３３に回転自在に支持される。
【００５０】
図８に示すように、枠部材２２は、加湿フィルタ２１の前後両側に配置される前枠２３と後枠２４で構成されている。前枠２３は、環状の外枠部２３ａと、回転軸２５が取り付けられるボス部２３ｂと、ボス部２３ｂと外枠部２３ａとを連結する連結部２３ｃとで構成されている。後枠２４は、環状の外枠部２４ａと、回転軸２５が取り付けられるボス部（図示省略）と、ボス部と外枠部とを連結する連結部（図示省略）とで構成されている。外枠部２３ａと外枠部２４ａによって、加湿フィルタ２１の外周部を保持する保持部２２ａが構成される。
【００５１】
図６中の破線の円は、後枠２４の外枠部２４ａの内周端を示している。外枠部２４ａの内周端近傍には、加湿フィルタ２１を位置決めするため複数のピン２７が突設されている。
【００５２】
図８に示すように、後枠２４の外枠部２４ａの外周面には、歯部２８が形成されている。図３に示すように、歯部２８は、加湿ロータ２０の左上方に配置された歯車６と噛合している。この歯車６がモータにより回転することで、加湿ロータ２０が回転駆動される。
【００５３】
図６および図８に示すように、前枠２３の外枠部２３ａには、複数の水汲み部２６が周方向に並んで設けられている。水汲み部２６は、加湿ロータ２０の回転時に、貯水容器３１内の水を汲み上げて加湿フィルタ２１に掛けるために設けられている。水汲み部２６は、加湿ロータ２０の回転方向（図６中の矢印方向）の前方側が開口したカップ状に形成されている。図６に示すように、水汲み部２６の径方向内側部分には、水汲み部２６内の水を加湿フィルタ２１に掛けるための排出部２６ａが設けられている。
【００５４】
加湿ロータ２０の回転に伴って、複数の水汲み部２６は順次貯水トレー３０内に浸水して、浸水した状態から上昇していく際に貯水容器３１内の水を汲み上げる。そして、水汲み部２６が最上位置に近付くにしたがって、水汲み部２６内の水が、排出部２６ａから流れ出て加湿フィルタ２１に掛けられる。
【００５５】
加湿フィルタ２１は、吸水した水を気化させて、加湿フィルタ２１を通過する空気流を加湿する。加湿フィルタ２１は、例えばハニカム構造の不織布などで構成されている。加湿フィルタ２１は、合成樹脂製である。図９（ａ）に示すように、加湿フィルタ２１は、円形状に形成されており、その中心部には、回転軸２５が挿通される円形孔が形成されている。また、加湿フィルタ２１の外周端近傍には、後枠２４の複数のピン２７が挿通される複数の円形孔２１ａが形成されている。
【００５６】
図９（ａ）に示すように、加湿フィルタ２１の外周部（円形孔２１ａの縁部を含む）には、防水部２１ｂが設けられている。本実施形態の防水部２１ｂは、熱溶着処理によって形成されている。具体的には、加湿フィルタ２１の外周部を加熱して合成樹脂を溶融した状態としつつ、加圧してフィルタ内部の空隙を潰すことで、防水部２１ｂを形成している。そのため、この防水部２１ｂは、吸水性を有しない。図９（ｂ）に示すように、防水部２１ｂは、熱溶着処理によって厚みが薄くなっている。また、加湿フィルタ２１の中央の孔の縁部は、超音波溶着処理または熱溶着処理が施されており、厚みが薄くなっている。
【００５７】
上述したように、送風機３の停止時には、貯水容器３１内の水面（図６中一点鎖線で表示）は、加湿フィルタ２１の下端の位置Ａよりも下方にあるため、加湿フィルタ２１は貯水容器３１内の水に浸らないようになっている。また、送風機３の駆動時であって風量が大きい場合には、貯水容器３１内の水面（図６中二点鎖線で表示）は加湿フィルタ２１の下端の位置Ａよりも上方で、且つ、加湿フィルタ２１の防水部２１ｂより内側の部分の下端の位置Ｂよりも下方にある。そのため、送風機３の回転時には、加湿フィルタ２１の防水部２１ｂは貯水容器３１内の水に浸かるが、防水部２１ｂ以外の部分は貯水容器３１内の水に浸からないようになっている。
【００５８】
次に、加湿機１の動作について説明する。
【００５９】
加湿運転時には、送風機３が駆動されると共に、加湿ロータ２０が回転駆動される。加湿ロータ２０が回転することによって、貯水容器３１内の水が複数の水汲み部２６によって順次汲み上げられて、加湿フィルタ２１に供給される。
【００６０】
また、送風機３の駆動により、ケーシング２の側面の吸込口２ａから空気が吸い込まれる。吸い込まれた空気は、空気清浄フィルタユニット４を通過して清浄化された後、加湿フィルタ２１を通過して加湿され、その後、ケーシング２の天面の吹出口２ｂから排出される。なお、加湿フィルタ２１には、空気清浄フィルタユニット４を通過した空気が全て通過するわけではなく、空気清浄フィルタユニット４を通過した空気の一部だけが加湿フィルタ２１を通過する。
【００６１】
送風機３による風量が大きい場合、上述したように空気流の流路が負圧となることで、貯水容器３１内の水面は、最高で図６に二点鎖線で示した位置まで上昇して、加湿フィルタ２１の防水部２１ｂが貯水容器３１内の水と接触するが、防水部２１ｂ以外の部分は貯水容器３１内の水と接触しない。
【００６２】
また、空気清浄運転時には、加湿ロータ２０が停止した状態で、送風機３が駆動される。吸込口２ａから吹出口２ｂに至る空気の流れは、加湿運転時と同じである。加湿ロータ２０が停止しているため、水汲み部２６による加湿フィルタ２１への給水はない。また、空気清浄運転時の貯水容器３１内の水面高さは、加湿運転時と同じであるため、加湿フィルタ２１に貯水容器３１内の水が吸水されることもない。そのため、空気清浄運転時には、加湿フィルタ２１を通過する空気流は加湿されないようになっている。
【００６３】
本実施形態の加湿機１では、空気清浄運転時（加湿運転停止時）に、貯水容器３１内の水面が所定高さ（図６中一点鎖線で表示）より上昇したときに、加湿フィルタ２１の防水部２１ｂによって、貯水容器３１内の水が加湿フィルタ２１に吸水されるのを防止している。そのため、空気清浄運転時（加湿運転停止時）に給水タンク５の水が減るのを防止できる。
【００６４】
加湿フィルタ２１に防水部２１ｂを設けずに、タンク受け容器の満水レベルを下げて、送風機の駆動時の貯水容器内の水面高さを加湿フィルタの下端よりも低くすることによって、加湿フィルタへの吸水を防止することは可能であるが、この場合、水汲み部によって汲み上げられる水量が少なくなり、加湿能力が低下する。
一方、本実施形態では、水汲み部２６で汲み上げられる水量を維持して、加湿能力の低下を抑制しつつ、加湿フィルタ２１への吸水を防止できる。
【００６５】
また、加湿フィルタ２１に防水部２１ｂを設けずに、加湿フィルタの外径を小さくすることで、送風機の駆動時に加湿フィルタの下端が貯水容器３１内の水に浸からないようにして、加湿フィルタへの吸水を防止することは可能であるが、この場合、気化できる面積が小さくなり、加湿能力が低下する。
一方、本実施形態では、気化できる面積をほぼ維持して、加湿能力の低下を抑制しつつ、加湿フィルタ２１への吸水を防止できる。
【００６６】
本実施形態では、加湿フィルタ２１の外周部に防水部２１ｂを設けているため、加湿フィルタ２１の下方に配置された貯水容器３１内の水が、加湿フィルタ２１の下端部から吸水されるのを防止できる。
【００６７】
また、加湿フィルタ２１において枠部材２２の保持部２２ａに保持される部分は、空気流が通過しないため、加湿能力はほとんどない。本実施形態では、この部分に防水部２１ｂを設けているため、加湿能力の低下を抑制しつつ、加湿フィルタ２１の吸水を防水できる。
【００６８】
本実施形態では、水汲み部２６によって加湿フィルタ２１に水が供給されるため、加湿運転時に加湿フィルタ２１の下端部を貯水容器３１内の水に接触させなくてよい。
【００６９】
本実施形態では、回転駆動される加湿フィルタ２１が円形状であるため、加湿フィルタ２１の設置スペースを小さくできる。
【００７０】
本実施形態では、防水部２１ｂは熱溶着処理によってで形成されているため、簡易に防水部２１ｂを形成できる。
【００７１】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００７２】
上記実施形態では、防水部２１ｂは、熱溶着処理によって形成されているが、防水部２１ｂの構成は、これに限定されない。例えば、防水部２１ｂは、フィルタ本体の外周部に撥水剤を塗布することで形成されていてもよい。また例えば、防水部２１ｂは、フィルタ本体の外周部にシール部材を溶着することで形成されていてもよい。また例えば、防水部２１ｂは、フィルタ本体に防水テープを貼り付けることで形成されていてもよい。これらの防水部２１ｂは簡易に形成できる。また例えば、防水部２１ｂは、フィルタ本体の外周部にホットメルト接着剤を塗布することで形成されていてもよい。
【００７３】
上記実施形態では、貯水容器３１内の水面が所定高さより上昇したときに、加湿フィルタ２１への吸水を防止する吸水防止手段として、加湿フィルタ２１に防水部２１ｂを設けているが、吸水防止手段は、これに限定されるものではない。
【００７４】
上記実施形態では、加湿フィルタ２１の形状は円形状であるが、例えば四角形などの多角形状や、それ以外の形状であってもよい。
【００７５】
上記実施形態では、加湿ロータ２０の枠部材２２に設けられた水汲み部２６によって、加湿フィルタ２１に水を供給するようになっているが、加湿フィルタ２１に水を供給するための構成はこれに限定されない。例えば、枠部材２２に水汲み部２６を設ける代わりに、水汲み部を有する回転体を配置して、この回転体の水汲み部によって貯水容器３１内の水を汲み上げて、加湿フィルタに掛けるようになっていてもよい。
【００７６】
上記実施形態では、加湿フィルタ２１は、防水部２１ｂ（外周部）が保持部２２ａによって保持されているが、防水部２１ｂ以外の部分が保持される構成であってもよい。
【００７７】
上記実施形態では、送風機３の停止時の貯水容器３１内の水面は、加湿フィルタ２１の下端の位置Ａより下方にあるが、この構成に限定されない。加湿フィルタ２１の防水部２１ｂより内側の部分が貯水容器３１内の水に浸からなければ、送風機３の停止時の貯水容器３１内の水面が加湿フィルタ２１の下端の位置Ａより上方にあってもよい。
【産業上の利用可能性】
【００７８】
本発明を利用すれば、加湿能力の低下を抑制しつつ、加湿運転停止時に加湿フィルタが貯水容器内の水を吸水するのを防止できる。
【符号の説明】
【００７９】
１  加湿機
３  送風機
２０  加湿ロータ
２１  加湿フィルタ
２１ｂ  防水部（吸水防止手段）
２２  枠部材
２２ａ  保持部
２６  水汲み部２６
３１  貯水容器
【図１】
2012247109.tif 000003
【図２】
2012247109.tif 000004
【図３】
2012247109.tif 000005
【図４】
2012247109.tif 000006
【図５】
2012247109.tif 000007
【図６】
2012247109.tif 000008
【図７】
2012247109.tif 000009
【図８】
2012247109.tif 000010
【図９】
2012247109.tif 000011